(57)【要約】【課題】電力変換装置における信号変換を行う信号変換装置において、ステップ状に変化する信号を読み込む際に、原信号との誤差ができるだけ小さくなるような構成を得る。【解決手段】信号変換装置（２２）は、立ち下がりを有する原信号から得られたステップ状に変化する信号において、該信号の立ち下がりを検出する立ち下がり検出部（３１）と、原信号の信号変化に合わせるように時間とともに増大する出力信号を演算する回転角度算出部（４２）と、回転角度算出部（４２）によって演算された出力信号が所定値に達する前に立ち下がり検出部（３１）によって前記立ち下がりを検出した場合に、回転角度算出部（４２）の演算をリセットするリセット部（３４）とを備える。【選択図】図２
2015208064.tif 000002
【特許請求の範囲】
【請求項１】
電力変換装置に入力される電気信号を変換する電力変換装置の信号変換装置であって、
立ち下がりを有する原信号から得られたステップ状に変化する信号において、該信号の立ち下がりを検出する立ち下がり検出部と、
前記原信号の信号変化に合わせるように時間とともに増大する出力信号を演算する信号演算部と、
前記信号演算部によって演算された出力信号が所定値に達する前に前記立ち下がり検出部によって前記立ち下がりを検出した場合に、前記信号演算部の演算をリセットするリセット部とを備える、電力変換装置の信号変換装置。
【請求項２】
請求項１に記載の電力変換装置の信号変換装置において、
前記原信号は、誘導電動機の回転角度に関する信号であり、
前記誘導電動機の回転速度が基準値以上であるかどうかを判定する回転速度判定部と、
前記回転速度判定部によって、前記誘導電動機の回転速度が前記基準値未満であると判定された場合には、前記信号演算部及び前記リセット部の動作を禁止して、前記ステップ状に変化する信号を読み込んで出力する信号出力部とをさらに備える、電力変換装置の信号変換装置。
【請求項３】
請求項１または２に記載の電力変換装置の信号変換装置において、
供試インバータの負荷としての誘導電動機を模擬するように構成された電力変換装置の信号変換に用いられる、電力変換装置の信号変換装置。
【発明の詳細な説明】
【技術分野】
【０００１】
本発明は、電力変換装置において信号変換を行う信号変換装置に関する。
【背景技術】
【０００２】
従来より、電力変換装置においてアナログ信号をデジタル信号に変換する信号変換装置が知られている。このような電力変換装置の信号変換装置では、例えば特許文献１に開示されるように、電力変換装置で検出されたアナログ信号をデジタル信号に変換する。特許文献１に開示される構成では、電力変換装置でアナログ信号から変換されたデジタル信号は、制御装置に入力される。
【０００３】
なお、電力変換装置の一例として、例えば特許文献２に開示されるように、供試インバータに対して電気的に接続され、該供試インバータを試験する際に電動機を模擬するインバータ負荷装置が知られている。このインバータ負荷装置は、供試インバータが電動機を駆動している場合と同様の動作を行うように、該電動機を模擬する。
【先行技術文献】
【特許文献】
【０００４】
【特許文献１】特開２００５−３３９９７号公報
【特許文献２】特開２０１１−１０１５４８号公報
【発明の概要】
【発明が解決しようとする課題】
【０００５】
ところで、上述のようなインバータ負荷装置では、該インバータ負荷装置が供試インバータに対して電動機として動作するように、該供試インバータとの間で信号の送受信を行う。特に、インバータ負荷装置が誘導電動機を模擬する場合には、誘導電動機の回転角度と供試インバータの出力の位相とが同期していないため、供試インバータからインバータ負荷装置に対して角度信号を送信する必要がある。
【０００６】
上述のような角度信号として、供試インバータ内の所定の角度信号のゼロクロスを検出して信号化したＺ相パルスを用いる方法が考えられる。しかしながら、Ｚ相パルスは、電動機が回転していない状態では出力されないため、インバータ負荷装置が電動機の停止状態を模擬している場合には、供試インバータの駆動とインバータ負荷装置の駆動とを同期させることができない。
【０００７】
これに対し、供試インバータとインバータ負荷装置との間の通信をアナログ信号によって行うことが考えられる。
【０００８】
しかしながら、近年の機器では、内部の信号処理にデジタル信号を用いた構成が一般的であるため、上述のように機器間で信号を授受する際にアナログ信号を用いた場合、該アナログ信号がステップ状に変化する。そのため、受信側の機器で、ステップ状に変化するアナログ信号からデジタル信号を読み込むと、元の信号に対して読み込んだ信号の誤差が大きくなる可能性がある。
【０００９】
すなわち、送信側では、デジタル信号をアナログ信号に変換した際に、ステップ状に変化するアナログ信号が生成される。受信側ではそのアナログ信号を所定のサンプリング周期でデジタル信号に変換する。そうすると、ステップ状に変化するアナログ信号をデジタル信号に変換した際に、サンプリング周期によっては元の信号との誤差が大きくなる場合がある。
【００１０】
このような誤差は、例えば、インバータ負荷装置が高速状態の誘導電動機を模擬している場合において、供試インバータからインバータ負荷装置にアナログ信号を送信して、該インバータ負荷装置でアナログ信号をデジタル信号に変換する際などに、特に大きくなる可能性がある。
【００１１】
本発明の目的は、電力変換装置における信号変換を行う信号変換装置において、ステップ状に変化し且つ立ち下がりを有する信号を読み込む際に、原信号との誤差ができるだけ小さくなるような構成を得ることにある。
【課題を解決するための手段】
【００１２】
本発明の一実施形態に係る信号変換装置は、電力変換装置に入力される電気信号を変換する電力変換装置の信号変換装置である。立ち下がりを有する原信号から得られたステップ状に変化する信号において、該信号の立ち下がりを検出する立ち下がり検出部と、前記原信号の信号変化に合わせるように時間とともに増大する出力信号を演算する信号演算部と、前記信号演算部によって演算された出力信号が所定値に達する前に前記立ち下がり検出部によって前記立ち下がりを検出した場合に、前記信号演算部の演算をリセットするリセット部とを備える（第１の構成）。
【００１３】
以上の構成により、ステップ状に変化する信号の立ち下がりを用いて、信号演算部によって原信号に近い波形を有する信号を演算することができる。すなわち、信号演算部によって演算された信号が所定値に達する前に、立ち上がり検出部によってステップ状に変化する信号の立ち下がりが検出された場合に、信号演算部の演算をリセットすることにより、原信号の立ち下がりと信号演算部によって演算された信号の立ち下がりとを同期させることができる。これにより、原信号に対して誤差の小さい信号を得ることができる。
【００１４】
ここで、原信号とは、所定のサンプリング周期で信号を取得する際の元の信号を意味し、検出器等によってアナログ信号として検出された信号であってもよいし、信号取得前の特性値そのものであってもよい。
【００１５】
前記第１の構成において、前記ステップ状に変化する信号は、前記原信号から得られたデジタル信号が、アナログ変換によって、ステップ状に変化する信号波形に変換されたアナログ信号である（第２の構成）。
【００１６】
このように、ステップ状に変化する信号が、原信号からサンプリングによって得たデジタル信号がアナログ信号に変換された信号であっても、上述の第１の構成によって、原信号により近い波形の信号として読み込むことが可能になる。
【００１７】
前記第１または第２の構成において、前記原信号は、鋸波状の信号であり、前記信号演算部は、前記原信号に応じた所定の傾きを用いて前記出力信号を求める（第３の構成）。
【００１８】
このように原信号が鋸歯状の信号の場合、原信号に応じた傾きを用いて、原信号の波形を有する信号を算出することができる。したがって、原信号の波形に近い信号を容易に得ることができる。
【００１９】
前記第３の構成において、前記原信号は、回転体の回転角度に関する信号である（第４の構成）。このように、原信号が回転体の回転角度に関する信号の場合には、原信号は、３６０度ごとに０度に戻る鋸歯状の波形を有する信号である。このような原信号から得られるステップ状の信号を読み込む場合にも、上述の第１の構成によって、該原信号により近い波形の信号を得ることができる。
【００２０】
前記第４の構成において、信号変換装置は、前記誘導電動機の回転速度が基準値以上であるかどうかを判定する回転速度判定部と、前記回転速度判定部によって、前記誘導電動機の回転速度が前記基準値未満であると判定された場合には、前記信号演算部及び前記リセット部の動作を禁止して、前記ステップ状に変化する信号を読み込んで出力する信号出力部とをさらに備える（第５の構成）。
【００２１】
誘導電動機の回転速度が基準値未満の場合には、ステップ状に変化する信号から読み込んでも、原信号との誤差はあまり大きくない。そのため、信号演算部及びリセット部の動作を禁止する。そして、ステップ状に変化する信号を読み込んで、信号出力部によって出力する。これにより、信号を読み込む際に原信号に対して誤差の少ない領域では演算を行う必要がないので、信号変換装置の演算の負荷を軽減することができる。
【００２２】
前記第１から第５の構成において、供試インバータの負荷としての誘導電動機を模擬するように構成された電力変換装置の信号変換に用いられる（第６の構成）。このように、供試インバータの負荷としての誘導電動機を電力変換装置によって模擬する場合、誘導電動機（電力変換装置）から出力される回転角度と供試インバータにおいて二相変換に用いる角度とが同期していない。そのため、誘導電動機を模擬する電力変換装置と供試インバータとを同期させる場合には、該供試インバータから電力変換装置に対して角度信号を出力する必要がある。
【００２３】
ところで、供試インバータ及び電力変換装置は、内部ではデジタル信号によって処理を行う一方、誘導電動機が回転していない状態でも上述の角度信号を出力するためには、供試インバータと電力変換装置との間でアナログ信号の授受を行うのが好ましい。このような構成では、デジタル処理後のアナログ変換によって得られるステップ状のアナログ信号からデジタル信号を読み込むことになるため、読み込んだデジタル信号と実際の角度信号との差が大きくなる。このような構成において、上述の第１から第５の構成を適用することにより、実際の角度信号に対して誤差が極力小さいデジタル信号を得ることができる。
【発明の効果】
【００２４】
本発明の一実施形態に係る電力変換装置の信号変換装置によれば、演算された出力信号が所定値に達する前に、原信号から得られたステップ状の信号の立ち下がりを検出した場合には、信号の演算をリセットする。これにより、ステップ状に変化する信号を読み込む際に、原信号との誤差をできるだけ小さくすることができる。
【図面の簡単な説明】
【００２５】
【図１】図１は、本発明の一実施形態に係る評価試験装置の全体構成を示すブロック図である。
【図２】図２は、信号変換装置の概略構成を示すブロック図である。
【図３】図３は、信号変換装置によって実行される信号出力のフローを示す図である。
【図４】図４は、信号変換装置に入力されるアナログ信号Ｖｉｎの波形、及び該信号変換装置から出力されるデジタル信号Ｖｏｕｔの波形をそれぞれ示す図である。
【発明を実施するための形態】
【００２６】
以下、図面を参照し、本発明の実施の形態を詳しく説明する。図中の同一または相当部分については同一の符号を付してその説明は繰り返さない。
【００２７】
（全体構成）
図１は、本発明の実施形態に係る評価試験装置１の概略構成を示す図である。この評価試験装置１は、供試インバータ２（図１において供試ＩＮＶ）の駆動を評価するための装置である。詳しくは、評価試験装置１は、供試インバータ２によって駆動制御される電動機及びその負荷を模擬しており、供試インバータ２の出力が電動機の駆動時と同等になるように構成されている。このような評価試験装置１を用いることにより、供試インバータ２に電動機の実機を接続して試験を行うことなく、評価試験装置１によって供試インバータ２の駆動を試験することができる。
【００２８】
供試インバータ２には、図示しない制御装置からトルク指令が入力される。供試インバータ２は、入力されたトルク指令に応じて、評価試験装置１に出力する電流を制御する。
【００２９】
評価試験装置１は、供試インバータ２に対して誘導電動機と同様の負荷を与えるインバータ負荷装置１１（電力変換装置、図１においてＩＮＶ負荷装置）と、供試インバータ２とインバータ負荷装置１１とを繋ぐ電気経路上に位置するリアクトル１２とを備える。インバータ負荷装置１１には、図示しない制御装置から回転数指令が入力される。インバータ負荷装置１１は、入力された回転数指令と入力された電流の値とから電動機の電圧方程式により電圧指令値を計算し、供試体インバータ２の出力電圧が前記電圧指令値になるように出力の制御を行う。
【００３０】
インバータ負荷装置１１は、供試インバータ２によって実機の誘導電動機を駆動した場合を模擬するように、供試インバータ２に対し、モータ電圧を出力するとともに、入力された回転数指令に応じて回転角度の信号を出力する。
【００３１】
なお、本実施形態のインバータ負荷装置１１は、供試インバータ２によって駆動される誘導電動機（ＩＭ）を模擬可能なように構成されている。誘導電動機の場合、同期電動機とは異なり、誘導電動機から出力される回転角度とインバータにおいて二相変換に用いる回転角度（以下、主回路電気角度という）とが同期していない。そのため、インバータ負荷装置１１は、誘導電動機を正確に模擬した回転角度の信号を出力するために、供試インバータ２から主回路電気角度の信号を受信する必要がある。
【００３２】
ところで、供試インバータ２からインバータ負荷装置１１に主回路電気角度の信号（原信号）を送信する場合、信号のゼロクロスを検出することにより得られるＺ相パルスを用いる方法が考えられる。しかしながら、このＺ相パルスは、誘導電動機が回転している場合にのみ出力されるため、インバータ負荷装置１１が停止状態の誘導電動機を模擬している場合には、供試インバータの駆動とインバータ負荷装置の駆動とを同期させることができない。これに対して、供試インバータ２からインバータ負荷装置１１に主回路電気角度の信号をアナログ信号によって送信することが考えられる。
【００３３】
本実施形態では、供試インバータ２の内部ではデジタル信号によって信号処理が行われる一方、供試インバータ２がインバータ負荷装置１１に信号を出力する際には、デジタル信号をアナログ変換した後、アナログ信号を出力する。そのため、供試インバータ２からインバータ負荷装置１１に出力されるアナログ信号は、時間とともにステップ状に変化する信号となる。
【００３４】
このようなステップ状に変化するアナログ信号が、主回路電気角度の信号として、供試インバータ２からインバータ負荷装置１１に出力されると、インバータ負荷装置１１では、アナログ信号から信号を読み取るタイミングによって、信号の誤差が大きくなる場合がある。すなわち、上述のような構成では、供試インバータ２とインバータ負荷装置１１との間で信号を授受する際の誤差が大きくなり、供試インバータ２及びインバータ負荷装置１１の同期がずれる可能性がある。
【００３５】
これに対し、本実施形態では、インバータ負荷装置１１は、演算によって回転角度を求めるとともに、演算による回転角度が３６０度を超える前にステップ状に変化するアナログ信号の立ち下がりが検出された場合には演算した回転角度をリセットする。これにより、演算する回転角度を、原信号の立ち下がりのタイミングでリセットすることができるため、原信号により近い波形の信号を得ることができる。
【００３６】
具体的には、インバータ負荷装置１１は、制御部２１と、信号変換装置２２とを有する。制御部２１は、供試インバータ２に接続された誘導電動機を模擬するように、該供試インバータ２の出力電圧に対して所定の出力信号を生成する。信号変換装置２２は、供試インバータ２から出力された主回路電気角度のアナログ信号を所定のデジタル信号に変換する。
【００３７】
信号変換装置２２は、供試インバータ２から出力されたステップ状に変化するアナログ信号から、実際の主回路電気角度により近いデジタル信号を求める。上述のように、インバータ負荷装置１１が誘導電動機の停止状態を模擬している場合でも供試インバータ２とインバータ負荷装置１１とを同期させるためには、該供試インバータ２とインバータ負荷装置１１との間でアナログ信号を授受するのが好ましい。この場合には、供試インバータ２からインバータ負荷装置１１に出力される主回路電気角度の信号はステップ状に変化するアナログ信号となる。信号変換装置２２は、このアナログ信号から、元の主回路電気角度（原信号）に近い信号を精度良く求めることができる。
【００３８】
信号変換装置２２は、インバータ負荷装置１１が模擬する誘導電動機の速度領域に応じて、供試インバータ２から入力されるアナログ信号を用いたデジタル信号の変換処理を切り替える。
【００３９】
すなわち、インバータ負荷装置１１が誘導電動機の低速領域を模擬している場合には、信号変換装置２２は、入力されるステップ状のアナログ信号を所定のサンプリング周期でデジタル信号に変換して出力する。誘導電動機の低速領域では、元の主回路電気角度と読み込むデジタル信号との誤差が小さいため、ステップ状に変化するアナログ信号をそのままデジタル信号として読み込む。
【００４０】
一方、インバータ負荷装置１１が誘導電動機の高速領域を模擬している場合には、信号変換装置２２は、回転角度を演算によって求めるとともに、該回転角度が３６０度に達する前に、ステップ状のアナログ信号の立ち下がりが検出された際に、演算をリセットする。誘導電動機の回転速度が高速領域の場合には、演算によって得られる回転角度を、元の主回路電気角度の立ち下がりのタイミングでリセットすることにより、該主回路電気角度に近い波形を有する回転角度の信号を求めることができる。
【００４１】
ここで、低速領域とは、ステップ状のアナログ信号をデジタル信号として読み込んだ場合でも、原信号との誤差が供試インバータ２及びインバータ負荷装置１１の同期を乱さないような規定値以下の回転数領域である。また、高速領域とは、ステップ状のアナログ信号をデジタル信号として読み込んだ場合に、原信号との誤差が前記規定値よりも大きくなるような回転数領域である。本実施形態では、インバータ負荷装置１１が模擬する誘導電動機の回転速度が基準値以下であれば、低速領域とし、該回転速度が基準値よりも大きければ、高速領域とする。
【００４２】
図２に示すように、信号変換装置２２は、立ち下がり検出部３１と、信号読込部３２と、演算部３３と、リセット部３４とを備える。立ち下がり検出部３１は、入力されるステップ状のアナログ信号の立ち下がりを検出する。立ち下がり検出部３１は、演算部３３によって回転角度が３６０度まで演算された後、最初のアナログ信号の立ち下がりは、信号の立ち下がりとして検出しない。
【００４３】
立ち下がり検出部３１は、例えば、アナログ信号と基準電圧（例えば回転角度が１８０度のときの電圧）とを比較器によって比較することにより、信号の立ち下がりを検出するように構成されている。なお、立ち下がり検出部３１は、信号の立ち下がりを検出可能な構成であれば、他の構成であってもよい。
【００４４】
信号読込部３２は、アナログ信号Ｖｉｎからデジタル信号を所定のタイミングで読み込む。信号読込部３２は、アナログ信号をデジタル信号に変換するＡ／Ｄコンバータによって構成されている。このＡ／Ｄコンバータの構成は、従来と同様の構成なので、詳しい説明を省略する。
【００４５】
演算部３３は、インバータ負荷装置２２が高速領域で回転する誘導電動機を模擬している場合に、回転角速度を用いて回転角度を算出する。また、演算部３３は、インバータ負荷装置２２が低速領域で回転する誘導電動機を模擬している場合には、信号読込部３２によってアナログ信号Ｖｉｎから読み込んだデジタル信号をそのまま出力する。
【００４６】
具体的には、演算部３３は、回転速度判定部４１と、回転角度算出部４２（信号演算部）と、角速度記憶部４３と、回転角度出力部４４（信号出力部）とを備える。回転速度判定部４１は、インバータ負荷装置１１に入力される回転数指令に基づいて、該インバータ負荷装置１１が模擬する誘導電動機が高速領域または低速領域のいずれであるのかを判定する。この回転速度判定部４１の判定結果に応じて、演算部３３は、回転速度算出部４２の演算結果、または、信号読込部３２が読み込んだデジタル信号を出力する。
【００４７】
回転角度算出部４２は、回転速度判定部４１によって、インバータ負荷装置１１が模擬する誘導電動機が高速領域であると判定された場合に、角速度記憶部４３に記憶されている角速度を用いて回転角度を算出する。回転角度は、時間とともに鋸歯状に変化するため、角速度に時間を乗算することにより、得られる。詳しくは、回転角度算出部４２では、インバータ負荷装置１１に入力される回転数指令に応じて角速度記憶部４３から得られる角速度に、時間を乗算することにより、回転角度を算出する。なお、回転角度算出部４２は、０度から３６０度の回転角度を繰り返し演算し続ける。また、回転角度算出部４２は、後述するリセット部３４からリセット信号が入力された場合に、演算をリセットして、０度から回転角度を演算する。
【００４８】
本実施形態では、回転角度算出部４２は、インバータ負荷装置１１が模擬する誘導電動機が定速で回転している状態を検出し、定速状態を検出したときに回転角度を算出する。このようにインバータ負荷装置１１が定速状態の誘導電動機を模擬している場合には、ステップ状に変化するアナログ信号は、立ち下がりのタイミングが原信号の立ち下がりのタイミングに対して遅くなる。したがって、後述するように、演算による回転角度が３６０度に達する前にアナログ信号の立ち下がりを検出した場合にのみ演算をリセットすることで、原信号により近い波形の信号が得られる。
【００４９】
角速度記憶部４３には、回転数指令に応じた角速度の値が複数、記憶されている。角速度記憶部４３に記憶されている複数の角速度は、テーブルとして記憶されていてもよいし、計算式から算出してもよい。なお、角速度の演算は、例えば、回転角度の演算値が３６０度に達する前にアナログ信号の立ち下がりが検出された場合のリセットのタイミングから、次のリセットのタイミングまでの時間を用いて行われる。すなわち、このリセットのタイミングで角速度の演算値は更新される。
【００５０】
回転角度出力部４４は、回転速度判定部４１によって、インバータ負荷装置１１が模擬する誘導電動機が低速領域であると判定された場合に、信号読込部３２によってアナログ信号から読み込んだデジタル信号をそのまま出力する。また、回転角度出力部４４は、回転速度判定部４１によって、インバータ負荷装置１１が模擬する誘導電動機が高速領域であると判定された場合に、回転速度算出部４２によって算出された回転角度を出力する。
【００５１】
リセット部３４は、演算部３３の回転角度算出部４２による演算をリセットするようにリセット信号を出力する。すなわち、リセット部３４は、立ち下がり検出部３１によって信号の立ち下がりが検出された場合に、演算部３３に対してリセット信号を出力する。このリセット信号によって、演算部３３の回転角度算出部４２は、演算をリセットして、回転角度の演算を０度から行う。
【００５２】
図３に、信号変換装置２２によって実行されるフローを示す。図３に示すフローでは、演算部３３から出力される信号を、インバータ負荷装置１１が模擬する誘導電動機の回転速度及び該インバータ負荷装置１１に入力されるアナログ信号の立ち下がりに応じて、変更する。
【００５３】
図３に示すフローがスタートすると（スタート）、ステップＳ１で演算部３３の回転速度判定部４１が、インバータ負荷装置１１に入力された回転数指令に基づいて、該インバータ負荷装置１１が模擬する誘導電動機の回転速度が基準値以上かどうかを判定する。ステップＳ１において、インバータ負荷装置１１が模擬する誘導電動機の回転速度が基準値以上と判定された場合（ＹＥＳの場合）には、ステップＳ２に進んで、演算部３３の回転角度算出部４２が、回転角度を算出する。この際、回転角度算出部４２は、角速度記憶部４３に記憶されている角速度を用いて回転角度を算出する。
【００５４】
一方、ステップＳ１において、インバータ負荷装置１１が模擬する誘導電動機の回転速度が基準値よりも小さいと判定された場合（ＮＯの場合）、ステップＳ５に進んで、回転角度出力部４４は、信号読込部３２がアナログ信号Ｖｉｎから読み込んだデジタル信号をそのまま出力する。その後、このフローを終了する（エンド）。
【００５５】
このように、インバータ負荷装置１１が模擬する誘導電動機の回転速度が基準値よりも小さい場合に、アナログ信号Ｖｉｎから読み込んだデジタル信号をそのまま出力することにより、信号の読み取り誤差が小さい範囲において無駄な演算を行うのを防止できる。これにより、演算部３３の演算の負荷を軽減することができる。
【００５６】
上述のようなステップＳ２における回転角度の演算後、ステップＳ３に進んで、回転角度算出部４２が算出した回転角度（演算値）が３６０度に達したかどうかを判定する。ステップＳ３において、回転角度算出部４２の演算値が３６０度に達したと判定された場合（ＹＥＳの場合）には、ステップＳ４に進んで、回転角度算出部４２による演算値を、回転角度出力部４４によって出力する。
【００５７】
一方、ステップＳ３において、回転角度算出部４２の演算値が３６０度に達していないと判定された場合（ＮＯの場合）には、ステップＳ６以降に進んで、アナログ信号Ｖｉｎの立ち下がりに応じて、回転角度算出部４２の演算をリセットする。
【００５８】
具体的には、ステップＳ６では、立ち下がり検出部３１によってアナログ信号Ｖｉｎの立ち下がりが検出されたかどうかを判定する。なお、ステップＳ６において、立ち下がり検出部３１は、演算値が３６０度に達した後のアナログ信号Ｖｉｎの最初の立ち下がりは検出しない。したがって、演算値が３６０度に達した後、アナログ信号Ｖｉｎの最初の立ち下がりが生じても、ステップＳ６では、アナログ信号Ｖｉｎの立ち下がりが検出されたとは判定されない。
【００５９】
ステップＳ６において、アナログ信号Ｖｉｎの立ち下がりが検出されたと判定された場合（ＹＥＳの場合）には、ステップＳ７に進んで、リセット部３４によって、回転角度算出部４２の演算をリセットする。すなわち、回転角度算出部４２の演算値が３６０度に達する前で且つアナログ信号Ｖｉｎの立ち下がりが検出された場合に、回転角度算出部４２による演算をリセットする。
【００６０】
一方、ステップＳ６において、アナログ信号Ｖｉｎの立ち下がりが検出されていないと判定された場合（ＮＯの場合）には、上述のステップＳ４に進んで、回転角度算出部４２による演算値を、回転角度出力部４４によって出力する。
【００６１】
上述のように、ステップＳ７において、回転角度算出部４２の演算をリセットした後は、上述のステップＳ４に進んで、回転角度算出部４２による演算値を、回転角度出力部４４によって出力する。その後、このフローを終了する（エンド）。
【００６２】
図４に、本実施形態の信号変換装置２２によって、ステップ状のアナログ信号Ｖｉｎが入力された際の信号出力Ｖｏｕｔの波形を示す。なお、図４に示す信号出力Ｖｏｕｔは、インバータ負荷装置１１が高速領域の誘導電動機を模擬している場合の信号波形である。
【００６３】
図４に示すように、回転角度算出部４２によって算出される回転角度が３６０度に達する前に、アナログ信号Ｖｉｎの立ち下がりが検出された場合、回転角度算出部４２による演算がリセットされて回転角度は０度になる。一方、回転角度算出部４２によって演算された回転角度が３６０度に達する前にアナログ信号Ｖｉｎの立ち下がりが検出されなかった場合、回転角度が３６０度に達した後、回転角度算出部４２は０度から計算を継続する。
【００６４】
これにより、アナログ信号Ｖｉｎの立ち下がりに合わせて信号をリセットすることができるとともに、頻繁に演算結果がリセットさせるのを防止できる。したがって、原信号（図４に示すＶｉｎにおける一点鎖線）に近い波形のデジタル信号を得ることができる。
【００６５】
以上の構成により、信号変換装置２２は、入力されるアナログ信号Ｖｉｎの立ち下がりを用いて、供試インバータ２内の主回路電気角度を精度良く求めることができる。すなわち、信号変換装置２２によって、インバータ負荷装置１１に供試インバータ２の主回路電気角度を精度良く読み込むことができる。したがって、本実施形態の信号変換装置２２を用いることにより、供試インバータ２とインバータ負荷装置１１とを精度良く同期させることができる。
【００６６】
しかも、供試インバータ２とインバータ負荷装置１１との間ではアナログ信号を用いて信号の授受を行うため、インバータ負荷装置１１が誘導電動機の停止状態を模擬している場合でも、供試インバータ２とインバータ負荷装置１１とを同期させることが可能になる。
【００６７】
したがって、上述のような構成を有する信号変換装置２２を用いることにより、インバータ負荷装置１が誘導電動機を模擬する場合でも、該インバータ負荷装置１と供試インバータ２とを精度良く同期させることができる。
【００６８】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００６９】
前記実施形態では、信号変換装置２２を供試インバータ２の評価試を行うための評価試験装置１に適用している。しかしながら、アナログ信号で信号の授受を行うとともに、機器内部ではデジタル信号で処理を行う装置に、信号変換装置２２を設けてもよい。すなわち、ステップ状のアナログ信号をデジタル信号に変換する場合に、本実施形態のような信号変換装置２２を用いるのが好ましい。
【００７０】
前記実施形態では、ステップ状に変化し且つ立ち下がりを有する信号の一例として、主回路電気角度をアナログ信号に変換した信号を挙げている。しかしながら、ステップ状に変化し且つ立ち下がりを有する信号であれば、他の信号であってもよい。
【００７１】
前記実施形態では、供試インバータ２を試験するインバータ負荷装置１１に信号変換装置２２が設けられている。しかしながら、機器同士でステップ状のアナログ信号を授受し且つ受信側でデジタル信号として読み込む構成であれば、どのような構成に信号変換装置を設けても良い。
【００７２】
前記実施形態では、インバータ負荷装置１１が模擬する誘導電動機の回転速度が基準値よりも大きい場合には、回転角度を演算し、回転角度が３６０度に達する前にステップ状のアナログ信号の立ち下がりが検出された場合に、回転角度の演算をリセットする。一方、インバータ負荷装置１１が模擬する誘導電動機の回転速度が基準値以下であれば、ステップ状のアナログ信号をデジタル信号として読み込む。しかしながら、この限りではなく、インバータ負荷装置１１が模擬する誘導電動機の回転速度に関係なく、回転角度を演算し、回転角度が３６０度に達する前にステップ状のアナログ信号の立ち下がりが検出された場合に、演算をリセットしてもよい。
【産業上の利用可能性】
【００７３】
本発明は、ステップ状に変化するアナログ信号からデジタル信号を取得する場合の信号変換装置に利用可能である。
【符号の説明】
【００７４】
２  供試インバータ
１１  インバータ負荷装置（電力変換装置）
１２  リアクトル
２１  制御部
２２  信号変換装置
３１  立ち下がり検出部
３２  信号読込部
３３  演算部
３４  リセット部
４１  回転速度判定部
４２  回転角度算出部（信号演算部）
４４  回転角度出力部（信号出力部）
【図１】
2015208064.tif 000003
【図２】
2015208064.tif 000004
【図３】
2015208064.tif 000005
【図４】
2015208064.tif 000006